(57)【特許請求の範囲】
【請求項１】
大型ディスプレイと、
食事可能な幅を有し、中央部に前記大型ディスプレイを収めた開口部を形成した平板部材及び該平板部材に載置されて前記開口部を覆う平形状の強化透明樹脂部材からなる天板と、
全体の形状が前記平板部材の周囲形状に沿った形状にされて、前記平板部材の縁よりも内側で前記開口部より外側に設けられ、かつ前記天板の平板部材に対して一定間隙を有して接続される第１の側板と、
前記大型ディスプレイの厚み程度の縦幅を有して、前記第１の側板と前記大型ディスプレイとの間に設けられて該大型ディスプレイの全体を囲み、前記天板の平板部材に一定間隙を有して接続される第２の側板と、
前記第２の側板の前記天板側となる上面に、一定の厚みを有して所定の間隔で固定されて、前記一定間隙で前記天板を浮かせるための第１の浮かせ板部材と、
前記第２の側板に接続されて前記平板を水平にする複数の脚部材と、
前記第１の側板の周囲に所定の角度を有して操作可能に設けられ、それぞれが所定間隔を有して前記第１の側板の周囲に固着された操作部と、
前記大型ディスプレイの下方に設けられ、この大型ディスプレイに所定の画面を表示させるための制御部と
を有することを特徴とする多機能型電子テーブル。
【請求項２】
前記第２の側板の囲み形状は、長方形であり、
前記複数の脚部材は、第２の側板の各角部に接続されており、
前記第１の浮かせ板部材は、前記第２の側板の内で、長い方の側板に設けられていることを特徴とする請求項１記載の多機能型電子テーブル。
【請求項３】
前記第２の側板には、前記大型ディスプレイを支え持つための、通風孔が開けられた平板の支え板部材が接続され、
この支え板部材には、前記大型ディスプレイと前記支え板部材との間に間隙を形成するための第２の浮かし板部材と
を有することを特徴とする請求項１又は２記載の多機能型電子テーブル。
【請求項４】
前記いずれかの操作部は、司会者用の操作部であり、この司会者の操作部前の平板部材は、小開口部が設けられ、この小開口部は小型強化透明樹脂で覆われて、内部に司会者用の小型ディスプレイが設けられていることを特徴とする請求項１、２又は３記載の多機能型電子テーブル。
【請求項５】
前記天板の平板部材は、最大の幅を有する中央板と、該中央板の幅以下の幅にされた最上位の平板と、最下層の平板とからなる多層構造であり、
前記中央板と最上位の平板とで形成される欠け部に前記強化透明樹脂部材の端部を載置し、
前記中央板は、前記大型ディスプレイ側となる当該中央板の端部が該大型ディスプレイの側端部を覆う第１の位置までとされており、
前記最下層の平板は、前記大型ディスプレイ側となる当該最下層の平板の端部が該大型ディスプレイの側端部と前記第２の側板との間となる第２の位置までとされている、
ことを特徴とする請求項１乃至４のいずれかに記載の多機能型電子テーブル。
【請求項６】
前記制御部は、全員で知る必要がある情報については、その情報を前記大型ディスプレイ上において、回転表示させることを特徴とする請求項１、２、３、４又は５記載の多機能型電子テーブル。
【請求項７】
前記小型強化透明樹脂面には、偏光シートが貼り付けられていることを特徴とする請求項４記載の多機能型電子テーブル。
【請求項８】
前記天板の平板部材は、八角形状であることを特徴とする請求項１乃至６のいずれかに記載の多機能型電子テーブル。
【請求項９】
前記中央板の前記大型ディスプレイ側となる裏面及び前記最下層の平板の前記大型ディスプレイ側となる裏面は、黒色が塗布されていることを特徴とする請求項５記載の多機能型電子テーブル。
【発明の詳細な説明】
【技術分野】
【０００１】
本発明はゲームを行えると共に食卓として使用できる多機能型電子テーブルに関する。
【背景技術】
【０００２】
テーブルに表記装置を備えて複数人数でゲームを行うものには、例えばマージャン卓が知られている。
【０００３】
例えば、特開２０００−２５４３４５号公報（特許文献１）は、マージャン専用であり、操作部も４人分備えてマージャンを行う。
【特許文献１】特開２０００−２５４３４５号公報
【発明の開示】
【発明が解決しようとする課題】
【０００４】
しかしながら、特許文献１は、一つのゲームを行う専用機であり、このゲーム以外のゲームできない。
【０００５】
また、他のゲームを行うとすると、このゲームを行うための専用のゲーム機を備えなければならない。
【０００６】
さらに、従来の表示装置を備えたゲーム卓は、食事、会議等をかねることは困難であった。
【０００７】
本発明は、食事、会議及びゲームを行える多機能型電子テーブルを得ることを目的とする。
【課題を解決するための手段】
【０００８】
本発明の多機能型電子テーブルは、
大型ディスプレイと、
食事可能な幅を有し、中央部に前記大型ディスプレイを収めた開口部を形成した平板部材及び該平板部材に載置されて前記開口部を覆う平形状の強化透明樹脂部材からなる天板と、
全体の形状が前記平板部材の周囲形状に沿った形状にされて、前記平板部材の縁よりも内側で前記開口部より外側に設けられ、かつ前記天板の平板部材に対して一定間隙を有して接続される第１の側板と、
前記大型ディスプレイの厚み程度の縦幅を有して、前記第１の側板と前記大型ディスプレイとの間に設けられて該大型ディスプレイの全体を囲み、前記天板の平板部材に一定間隙を有して接続される第２の側板と、
前記第２の側板の前記天板側となる上面に、一定の厚みを有して所定の間隔で固定されて、前記一定間隙で前記天板を浮かせるための第１の浮かせ板部材と、
前記第２の側板に接続されて前記平板を水平にする複数の脚部材と、
前記第１の側板の周囲に所定の角度を有して操作可能に設けられ、それぞれが所定間隔を有して前記第１の側板の周囲に固着された操作部と、
前記大型ディスプレイの下方に設けられ、この大型ディスプレイに所定の画面を表示させるための制御部と
を備えたことを要旨とする。
【発明の効果】
【０００９】
以上のように、本発明によれば、一台の多機能型電子テーブルで、様々なゲームを多人数で行えると共に、食事、会議等ができる。また、大型ディスプレイを用いていてもテーブルの大型強化ガラスには結露が発生しない。
【発明を実施するための最良の形態】
【００１０】
図１は本実施の形態の多機能型電子テーブルの外観図である。図１に示すように、天板は楕円型の八角形状（幅が１２０ｃｍ程度で長さが２ｍ程度）である。Ａは大型ディスプレイ（例えば４２インチ大型液晶ＴＶ）、Ｈは楕円型の八角形状の強化ガラス（幅が７９ｃｍ〜８０ｃｍ、長さが１ｍ４２ｃｍ〜１ｍ４５ｃｍ程度）、Ｇは楕円型の八角形状の平板部材（複数枚の平板で八角形状を構成する）であり、天板の中央の開口部に大型ディスプレイＡ、強化ガラスＨが収まる形状にされている。前述の天板Ｄは、八角形状の強化ガラスＨと平板部材Ｇ等からなっている。平板部材Ｇの幅は２０ｃｍ〜４０ｃｍ程度が好ましい。
【００１１】
また、平板部材Ｇの下には、八角形状の第１の側板Ｊ（一定の厚みの板を複数繋げて八角形状にしている）がネジ等によって固着可能にされている。この第１の側板Ｊは横幅が１ｍ〜１ｍ２０ｃｍ程度、長さが１ｍ３０ｃｍ〜１ｍ３５ｃｍ程度、高さが大人拳程度（７．５ｃｍ〜８ｃｍ）にされている。
【００１２】
さらに、この第１の側板Ｊの周囲には、所定間隔（長い平板部材の操作部の間隔は、例えば６０ｃｍ程度、隅の操作部及び司会者の操作部と長い平板部材の操作部との間隔は４０ｃｍ程度）に設けられた操作部Ｃが１０個設けられている。さらに、１個の司会者の操作部Ｃｏが設けられ、この操作部Ｃｏの前の平板部材Ｇには、司会者用の液晶モニタＢ（１インチ液晶ＴＶ）が設けられている。液晶モニタＢの上には強化ガラスＢｏが設けられている。司会者側の平板部材Ｇの幅は、ガラスＨ端から３０ｃｍ〜４０ｃｍ程度が好ましい。
【００１３】
図２は上面図、側面図、正面図を説明する説明図である。図２（ａ）の上面図、図２の（ｂ）正面図、図２の（ｃ）に示すように、天板の下側には、モニタＢ及び大型液晶ディスプレイＡを制御並びに各種ゲーム、各種の情報を提供するための制御部１が設けられている。
【００１４】
図３は図２の（ｂ）のｄ矢視方向から見たときの脚Ｅを除いた矢視図である。図４は天板Ｄを除いたときの上面図である。図３及び図４に示すように、長方形状の第２の側板Ｋの外周に第１の側板Ｊを備え、この第１の側板Ｊと第２の側板Ｋとの間には、第２の側板Ｋを支えるための支持部材Ｌが所定間隔で設けられている。また、第２の側板Ｋの上には一定の厚みの通風用天井浮かし板４０が所定間隔（５０ｃｍ、６０ｃｍ間隔）で複数設けられている。
【００１５】
但し、第１の側板Ｊにおいて、司会者側には液晶モニタＢがあるので側板を有してはいない。前述の第２の側板の大きさは、横幅が７３ｃｍ〜７５ｃｍ程度であり、長さが１ｍ３５ｃｍ〜１ｍ４０ｃｍ、高さが脚Ｅを接続したときに脚が容易に入る高さで例えば１５ｃｍ程度にされている。
【００１６】
また、図３に示すように第１の側板Ｊの内壁側には治具４２が設けられ、この治具４２によって天板Ｄの平板部材Ｇが接続される。
【００１７】
図５は図２（ａ）のＡ−Ａ矢視図である。図６はａ-ａ矢視図である。図７は図５のｆ部の詳細図である。これらの図に示すように、大型ディスプレイＡと、楕円型の八角形状の強化ガラスＨと間には、所定の間隔が設けられており、風が通るようにされており強化ガラスの結露を防止する。
【００１８】
すなわち、図５及び図６に示すように、第２の側板Ｋの上に設けられた通風用天板浮かし板４０（厚み：３ｍｍ〜１５ｍｍ：１２ｍｍ程度がよい）によって、八角形状の強化ガラスＨと大型ディスプレイＡとの間には一定の隙間ができている。また、第２の側板Ｋの上端と大型ディスプレイＡの液晶面とは高さが一致している。
【００１９】
さらに、脚Ｅと天板の平板部材Ｇとの間に設けられている第２の側板Ｋ（通線用穴が設けられている）には、司会者の操作部Ｃｏが接続されている。そして、脚Ｅと脚Ｅとの間には大型ディスプレイＡの支え板部材３が設けられ、この支え板部材３は脚Ｅに固着されたＬ型ブラケット５で支持されている。さらに、支え板部材３には、通風２が設けられている。
【００２０】
また、図５及び図６に示すように、支え板部材３の大型ディスプレイＡ側には、複数個のモニタ浮かし板４４が設けられている。このモニタ浮かし板４４は、大型ディスプレィＡの裏側の少なくとも４隅に設けられ、図５、６に示すように大型ディスプレイＡとモニタ浮かし板４４との間は、３ｍｍ〜１５ｍｍの間隙にされている。
【００２１】
また、司会者側の強化ガラスＢｏとモニタＢとの間は、四角形状の開口が開けられている。さらに、モニタ浮かし板４４の側面にはモニタずれ防止部材４３が設けられ、これが支え板部材３に固着可能にされている。
【００２２】
図７は図５のｆ個所の詳細図である。図７に示すように天板Ｄの平板部材Ｇの裏側の大型ディスプレイＡ側は、一定厚みが薄くなる部分Ｇｂと厚くなる部分Ｇｃとなる凹凸形状であり、この部分が黒のつや消しが施されている。そして、この凹凸形状によって、大型ディスプレイが厚くなった場合には、Ｇｂ部の上のガラスの部分が熱くなってもＧｃ部がそれより厚いので、このＧｃ部の上の部分のガラスはさほど熱くならない。
【００２３】
すなわち、天板Ｄの平板部材Ｇの裏側をこのような形状にすることによって、テーブルとしての高さ（６９．８ｃｍ〜７５ｃｍ：日本人用は６９．８ｃｍが好ましい）を維持できると共に、大型ディスプレイＡの液晶面から発生する熱を逃がすことができ、かつ平板部材Ｇの椅子側（図示せず）の部分が熱くならない。さらに、Ｇｂ部とＧｃ部の表面は黒のつや消しが施されているので、反射が起きない。
【００２４】
つまり、平板部材Ｇは、３層構造（最上位、中央、最下層）である。
【００２６】
そして、大型ディスプレイＡはモニタ浮かし板４４によって、支え板部材３との間には間隙が設けられ、また、ガラスＨと大型ディスプレイＡとの液晶面との間も間隙が設けられていて、かつ支え板部材３には、通風２が設けられ、第２の側板と天板Ｄの平板部材Ｇとの間には、通風用浮かし部材４０によって間隙が形成されている。このため、大型ディスプレイＡは全体的に風が廻り込むと共に、液晶面からの熱が抜けていく。
【００２７】
図８〜図１０は制御部１の側面図である。４５はスピーカ用の穴部である。図１１は大型ディスプレイＡの強化ガラスＨと、司会者用のモニタの強化ガラスＢ０の説明図である。強化ガラスＨは、楕円型の八角形であり、モニタの強化ガラスＢｏは四角形状である。
【００２８】
図１２、図１３は支え板部材３の説明図であり、通風穴４５が多数もうけられていることを示している。
【００２９】
図１４は操作部Ｃの説明図であり、図１４（ａ）は操作部Ｃには、１１個のボタンがあり、内１個が決定ボタンであることを示す。また、図１４の（ｂ）は、操作部Ｃの操作盤が斜めであることを示す。
【００３０】
図１５は操作部の側面図であり、所定の角度を有して第１の側板Ｊに接続されることを示している。
【００３１】
図１６は制御部の背面パネルを説明する説明図である。図１４に示すように、ＵＳＢメモリが装着されるメモリスロット５と、モニタケーブル用にコネクタ６が設けられていることを示す。
【００３２】
図１７は司会者の操作部Ｃｏを説明する説明図であり、１１個のボタンが１列に配置されていることを示す。
【００３３】
図１８は脚Ｅの構造を説明する説明図である。図１８に示すように脚Ｅはスチール脚であり、第２の側板Ｋ側となる上端にはネジ４８が埋め込まれ、下端には、テーブル高さ微調整アジャスタ４７用のネジ穴が設けられている。
【００３４】
次に、大型ディスプレイの表示画面を説明する。
【００３５】
図１９は、大型液晶テレビＡに表示される画面の一例を説明する説明図である。この図１９は、全員で見る必要があるものは、回転することを示す。廻りの番号は、操作部Ｃの番号を示す。図１９においては、誰かのアピールする情報が廻ることを示している。
【００３６】
図２０は制御部の回路ブロック図である。制御部１（ＰＣＢＯＸ）は、終了／起動の主スイッチ２１と、ビデオカード２３及びＵＳＢメモリ２２等を備えるマザーボード２０と、ハードディスク３０と、スイッチＩ／Ｆボード２９と、左右のスピーカに繋げられたパワーアンプ２８と、電源２４と主電源部２５等を備えている。
【００３７】
この制御部１には司会者モニター部３０が接続されている。司会者モニター部３０は、インバータ１４と、ＬＶＤＳ変換ボード１５と、ＯＳＤボード１６と、１２インチ液晶のモニターＢ等で構成されている。
【００３８】
さらに、制御部１のスイッチＩ／Ｆボード２９には、スイッチパネルＩ／Ｆボード３２が設けられている。このスイッチパネルＩ／Ｆボード３２には、２番席スイッチパネル（操作部Ｃ）のボタンが接続されている。
【００３９】
そして、このスイッチＩ／Ｆボード２９からはケーブル１１で１番席のスイッチパネル１０ｄ（操作部Ｃ）が接続されている。１番席のスイッチパネル１０ｄ（操作部Ｃ）にはケーブル１２ａで１０番席のスイッチパネル１０ｃが接続されている。
【００４０】
１０席のスイッチパネル１０ｃ（操作部Ｃ）にはケーブル１２ｂで９番席のスイッチパネル１０ｂが接続されている。９席のスイッチパネル１０ｂ（操作部Ｃ）にはケーブル１２ｃで８番席のスイッチパネル１０ａが接続されている。
【００４１】
さらに、８席のスイッチパネル１０ａ（操作部Ｃ）にはケーブル１２ｄで７番席のスイッチパネル１０ｅが接続されている。７番席のスイッチパネル１０ｅ（操作部Ｃ）にはケーブル１２ｅで６番席のスイッチパネル１０ｆが接続されている。６番席のスイッチパネル１０ｆ（操作部Ｃ）にはケーブル１２ｆで５番席のスイッチパネル１０ｇが接続されている。５番席のスイッチパネル１０ｇ（操作部Ｃ）にはケーブル１２ｇで４番席のスイッチパネル１０ｈが接続されている。
【００４２】
４番席のスイッチパネル１０ｈ（操作部Ｃ）にはケーブル１２ｈで３番席のスイッチパネル１０ｉが接続されている。
【００４３】
前述のマザーボード２０は、内部にＣＰＵ、メモリ等を備え、ＵＳＢメモリ２２に記憶されているゲーム（山の手線ゲーム、フィーリングカップル、質問、ルーレット等）を読み込み、４２インチの液晶モニタに表示させる。さらに、ＨＤＤにゲーム履歴等を記憶する。
【００４４】
ここで、回転するという記載の一例を図２１のフローチャートを用いて説明する。
【００４５】
図２１に示すように、マザーボード２０のＣＰＵは、ＵＳＢメモリのゲームプログラムを内部に読み込むと共に、司会者によって指定された席順を操作部に対応させる等の初期設定を行いゲームを実行させる（Ｓ１）。このとき、司会者は操作部Ｃｏを操作して大型ディスプレイＡには、座席番号を表示する。例えば、大型ディスプレイ上には、参加者の操作部の前の個所に「１」、「２」・・・・「５」と表示する。参加者が５人で離れて座る場合もあるので、座席に座った位置の前に司会者が選定した番号を表示する。
【００４６】
そして、参加者が座席につくと司会者は操作部Ｃｏの決定ボタンを操作する。これによって、席順に応じた座席番号が決定する。
【００４７】
すなわち、ＣＰＵは図示しないメモリに座席番号と参加者番号とを対応させるためのテーブルを備えて、決定ボタンが押されたときに、座席前に表示された参加者番号を読み込み、この参加者番号を、その座席番号に対応させて保存する。
【００４８】
次に、マザーボード２０のＣＰＵは、読み込んだゲームが座席に座った参加者が全員参加のものかどうかを判定する（Ｓ２）。予め全員参加のフラグをゲームプログラムに書き込んでおくのが好ましい。
【００４９】
ステップＳ２において、全員さんかのものと判定したときは、各操作部の番号（座席番号）に、各操作部から入力される情報を対応させるように定義する（Ｓ３）。
【００５０】
そして、回転丸ボタンの画像の内部に操作部からの情報（例えば、質問のゲームで、何が好きかときかれた場合は、ステーキ）を書き込み、（Ｓ４）、この回転ボタンを回転表示させる（Ｓ５）。
【００５１】
そして、終了かどうかを判断し、終了でないときは、処理をステップＳ２に戻す（Ｓ６）。また、ステップＳ２において全員参加ではないと判定したときは、処理をステップＳ６に移す。
【００５２】
次に、ゲームの一例を用いて説明する。本実施の形態では、５×５ゲーム「コイトモＧＥＴ大作戦」を説明する。
【００５３】
初めに、図２２（ａ）に示すように、司会者モニターにゲーム進行の画面を表示させる。
【００５４】
次に、図２２（ｂ）に示すように、司会者参加、不意参加のモード選択画面を表示させる。
【００５５】
次に、図２２（ｃ）に示すように、戻る、スキップ、終了の画面を表示させる。
【００５６】
次に、「コイトモＧＥＴ大作戦」は、図２３（ａ）に示すように、回転ボタンを表示させる。この回転ボタンの表示中において、参加者は順番に自己アピールを１５秒で行う。
【００５７】
次に、図２３（ｂ）に示すように、着席画面を表示する。全てのゲームの始まりに必ず行う。
【００５８】
次に、図２３（ｃ）に示すように、第１印象タイムの表示を行う。この第１印象タイムでは、アピールタイムまでの好みの人を番号で選択。カップル成立組数のみが表示される。次に、図２４（ａ）に示すように、フリータイムｏｒ質問代行屋の選択表示を行う。
【００５９】
この画面において、質問代行屋を選択すると、ゲームが始まり、フリータイムを選択すると歓談タイムとなる。
【００６０】
次に、図２４（ｂ）に示すように、第２印象タイム表示を行う。この画面は今までを通じての好みの人を番号順に選択する。また、カップル成立組み数のみが表示される。
【００６１】
次に、図２４（ｃ）に示すように、フリータイムｏｒシンプルルーレットの選択画面表示を行う。これは、シンプルルーレットを選択すると、ゲームが始まり、フリータイムを選択すると歓談タイムとなる。
【００６２】
そして、図２４（ｄ）に示すように、最終印象タイムの表示を行う。この画面は今までを通じての好みの人を番号で選択する。但し、カップル成立した人のみが表示される。
【００６３】
＜その他の実施の形態＞
上記の実施の形態の多機能型電子テーブル（卓）は、司会者の操作部Ｃｏと参加者の操作部とが近接している。
【００６４】
このため、隣の参加者が司会者のモニタ画面を覗き見することを防止するために図２５に示すように、偏光シートを設けるのがよい。図２５には、ガラスの裏側に偏光シートを張っている。
【００６５】
従って、司会者はモニタに表示された内容を確実に見ることができるが隣の参加者は除き見してもその内容がわからない。
【図面の簡単な説明】
【００６６】
【図１】本実施の形態の多機能電子テーブルの外観図である。
【図２】上面図、側面図、正面図を説明する説明図である。
【図３】図２の（ｂ）のｄ矢視方向から見たときの脚Ｅを除いた矢視図である。
【図４】図４は天板Ｄを除いたときの上面図である。
【図５】図２（ａ）のＡ−Ａ矢視図である。
【図６】図６はａ-ａ矢視図である。
【図７】図５のｆ個所の詳細図である。
【図８】制御部１の側面図である。
【図９】制御部１の側面図である。
【図１０】制御部１の側面図である。
【図１１】大型ディスプレイＡの強化ガラスＨと、司会者用のモニタの強化ガラスＢ０の説明図である。
【図１２】支え板部材の説明図である。
【図１３】支え板部材の説明図である。
【図１４】操作部Ｃの説明図であり
【図１５】操作部の側面図であり
【図１６】制御部の背面パネルを説明する説明図である。
【図１７】司会者の操作部Ｃｏを説明する説明図である。
【図１８】脚Ｅの構造を説明する説明図である。
【図１９】大型液晶テレビＡに表示される画面の一例を説明する説明図である。
【図２０】制御部の回路ブロック図である。
【図２１】制御部の動作の一例を説明するフローチャートである。
【図２２】ゲームの進行画面の一例の説明図である。
【図２３】ゲームの進行画面の一例の説明図である。
【図２４】ゲームの進行画面の一例の説明図である。
【図２５】その他の実施の形態の操作部の側面図である。
【符号の説明】
【００６７】
Ａ  大型ディスプレイ
Ｈ  楕円型の八角形状の強化ガラス
Ｇ  楕円型の八角形状の平板部材
Ｊ  第１の側板
Ｃ  操作部
Ｂ  液晶モニタ
【図１】
0004708405.tif 000002
【図２】
0004708405.tif 000003
【図３】
0004708405.tif 000004
【図４】
0004708405.tif 000005
【図５】
0004708405.tif 000006
【図６】
0004708405.tif 000007
【図７】
0004708405.tif 000008
【図８】
0004708405.tif 000009
【図９】
0004708405.tif 000010
【図１０】
0004708405.tif 000011
【図１１】
0004708405.tif 000012
【図１２】
0004708405.tif 000013
【図１３】
0004708405.tif 000014
【図１４】
0004708405.tif 000015
【図１５】
0004708405.tif 000016
【図１６】
0004708405.tif 000017
【図１７】
0004708405.tif 000018
【図１８】
0004708405.tif 000019
【図１９】
0004708405.tif 000020
【図２０】
0004708405.tif 000021
【図２１】
0004708405.tif 000022
【図２２】
0004708405.tif 000023
【図２３】
0004708405.tif 000024
【図２４】
0004708405.tif 000025
【図２５】
0004708405.tif 000026